(57)【要約】      （修正有）【課題】裁断方向の前方において固定板に浮きが生ずるのを防止し、裁断途中でシートがずれるのを防止した、裁断機を提供する。【解決手段】基盤１と、固定板２と、スライダ３０と、レール４と、レールを上方に向けて付勢させた状態で架設する支持体５と、を含んで構成され、レールに沿って固定板を設け、スライダを押し下げながら裁断方向に移動させることで、固定板でシートを固定しながら裁断する裁断機１０において、スライダの上面の裁断方向Ａの前方の部位に、移動させる際に操作するための操作部を、上方に向けた突出部３８として構成し、その後壁面３９を、レールに対して２０°〜４０°の角度をなすように傾斜状に構成した。【選択図】図１
0003189538.tif 000002
【実用新案登録請求の範囲】
【請求項１】
シートが載置される基盤（１）と、シートを基盤上に押し付ける固定板（２）と、裁断刃を装着したスライダ（３０）と、該スライダ（３０）がスライド可能に取り付けられるレール（４）と、該レール（４）を上方に向けて付勢させた状態で架設する支持体（５）とを含んで構成され、前記レール（４）に沿って前記固定板（２）を設け、前記スライダ（３０）を押し下げながら裁断方向に移動させることで、前記固定板（２）でシートを固定しながら裁断する裁断機（１０）であって、
前記スライダ（３０）の上面の裁断方向前方の部位に、該スライダ（３０）を移動させる際に操作するための操作部を、上方に向けた突出部（３８）として構成したことを特徴とする裁断機。
【請求項２】
上記突出部（３８）の裁断方向後方側の後壁面（３９）を、前記レールに対して２０°〜４０°の角度をなすように傾斜状に構成したことを特徴とする裁断機。
【考案の詳細な説明】
【技術分野】
【０００１】
本考案は、紙などのシート材を裁断する裁断機に関し、特に、裁断する際のシートのズレを防止できる裁断機に関する。
【背景技術】
【０００２】
紙などのシートを裁断するための裁断機は、図９に示すように、シートが載置される基盤１と、載置されたシートを基盤上に押し付ける固定板２と、裁断刃を装着したスライダ３と、スライダ３がスライド可能に取り付けられるレール４と、レール４を架設するために基盤１の両側に設けられた一対の支持体５とを含んで構成される。
支持体５と基盤１との間６にはバネが設けられており、レール４は、シートの載置面７との間に隙間ができるように、上方に向けて付勢されている。
【０００３】
レール４には、その長さ方向に沿って固定板２が取り付けられており、レール４を跨ぐように取り付けられたスライダ３を押し下げながら移動させることで、シートを固定しながら裁断できるようになっている（特許文献１を参照）。
このような裁断機におけるスライダ３の形状としては、上面を平坦にしたものが一般的であるが、手中におさまり易くするために、円弧状の屋根部を設けたものも提案されている（特許文献２を参照）。
【先行技術文献】
【特許文献】
【０００４】
【特許文献１】特開平６−７９５号公報
【特許文献２】特開２００５−６６７２０号公報
【考案の概要】
【考案が解決しようとする課題】
【０００５】
しかしながら、上記の裁断機において、スライダ４を押し下げながら手前から前方に向けて裁断方向Ａに移動させる際、手圧による押し下げ力がスライダ３の手前側の部位３ａ（即ち、裁断方向Ａの後方）に作用されがちなので、固定板２の前方部位２ｂに浮きが生じ易い。
このため、裁断途中でシートが動き、裁断ラインにズレが生ずる場合があった。
【０００６】
そこで、本考案は裁断方向の前方において固定板に浮きが生ずるのを防止し、裁断途中でシートの位置がずれてしまうことを防止できる裁断機、及びそれに使用されるスライダの提供を目的とする。
【課題を解決するための手段】
【０００７】
上記課題を解決するために、本考案に係る裁断機は、シートが載置される基盤と、シートを基盤上に押し付ける固定板と、裁断刃を装着したスライダと、該スライダがスライド可能に取り付けられるレールと、該レールを上方に向けて付勢させた状態で架設する支持体とを含んで構成され、前記レールに沿って前記固定板を設け、前記スライダを押し下げながら裁断方向に移動させることで、前記固定板でシートを固定しながら裁断する裁断機であって、前記スライダの上面の裁断方向前方の部位に、該スライダを移動させる際に操作するための操作部を、上方に向けた突出部として構成したことを特徴とするものである。
【０００８】
この場合、上記突出部の裁断方向後方側の後壁面を、前記レールに対して２０°〜４０°の角度をなすように傾斜状に構成してもよい。
【考案の効果】
【０００９】
請求項１に係る裁断機は、シートが載置される基盤と、シートを基盤上に押し付ける固定板と、裁断刃を装着したスライダと、スライダがスライド可能に取り付けられるレールと、レールを上方に向けて付勢させた状態で架設する支持体とを含んで構成された裁断機において、スライダの上面の裁断方向前方の部位に、上方に向けた突出部を設けたので、その突出部を押し下げると同時に、スライダを移動させるための操作を行なうことで、移動方向に向けての押圧力をスライダに作用させることができる。
【００１０】
このため、スライダの移動方向前方が基盤に向けて押し下げられるようになり、裁断方向前方における固定板の浮きを防止することができる。
これによって、固定板の、裁断地点から前方にかけての部位を、強固に固定することが可能となり、シートの位置ズレを防止できる。
【００１１】
請求項２に係る裁断機は、突出部の裁断方向後方側の壁面を傾斜状にしたので、その傾斜状の後壁面を押すことで、スライダに対する裁断方向前方に向けての押圧力を、スライダを押し下げるための下方向の力と、移動させるための水平方向の力とに分散させることができる。これによって、スライダを押し下げながら移動させる際の力加減の調節が不要となるので、熟練者でなくとも美しい裁断ラインを得ることができる。
【００１２】
また、スライダの後壁面の傾斜角を、レールに対して２０°〜４０°の角度としたので、スライダに対する押圧力を、スライダを押し下げるための力と、移動させるための力に、程良く分散させることができる。また、スライダの傾斜状の後壁面を掌で押しながら移動させる際に、自然な姿勢で作業を行なうことができる。
【図面の簡単な説明】
【００１３】
【図１】本考案の実施形態に係る裁断機を示す斜視図である。
【図２】上記裁断機を分解した状態の斜視図である。
【図３】スライダの内部構造を示す断面図であり、（ａ）は初期状態、（ｂ）はスライダを押し下げた状態を示す。
【図４】上記スライダを分解した状態を示す斜視図である。
【図５】上記裁断機の側面図である。
【図６】上記裁断機のスライダを操作した状態を示す側面図である。
【図７】本考案に係る裁断機用スライダの変形態様を示す斜視図である。
【図８】上記裁断機の変形態様を示す説明図である。
【図９】従来の裁断機を示す斜視図である。
【考案を実施するための形態】
【００１４】
本考案の好適な実施形態について、添付図面に基づいて説明する。なお、実施形態は以下の形態に限定されるものではなく、本考案の課題を解決しうるものであれば他の態様も実施可能である。
【００１５】
図１は、本考案の実施形態に係る裁断機を示す斜視図である。
この裁断機１０は、基盤１と、固定板２と、スライダ３０と、レール４と、支持体５からなるものであり、スライダ３０をレール４に沿って移動させることによって、基盤上１に載置されたシートをスライダ３０に取り付けられた円盤状の裁断刃によって裁断するものである。
【００１６】
基盤１は、紙などのシート材が載置される台であり、両端部にはシートの端縁部を当接させための段差１１，１２が設けられており、シートが載置される載置面７には升目状の目盛りや規格の用紙サイズに応じた目印などが適宜設けられる。
基盤１のレール４が設けられている方の一側部には、ゴム製のカッターマット１３が埋め込まれている。
【００１７】
基盤１の一側部にはレール４が取り付けられている。このレール４は、図２に示すように、滑らかな摺動面を有するレール部材４０を、レール支持体４１に取り付けて構成されている。
レール支持体４１は、レール部材４０に沿った方向に長い長方形状の平板であり、上面に２条のレール取付部４２を形成し、下面において、シートを基盤上に固定するための固定板２を形成している。
【００１８】
レール４は、基盤１の両端部に設けられた支持体５に架設されている。支持体５と基盤１との間にはバネ５１が設けられている。このバネ５１によって、載置面７との間にシートを挿入するための隙間ができるように、レール４が上方に向けて付勢されている。
このレール４の上面には、本考案に係る裁断機用のスライダ３０が摺動可能に取り付けられている。以下、スライダ３０の構成を説明する。
【００１９】
スライダ３０は、レール４に係合される基台部３１と、摺動操作を行なうための本体部３２と、側壁面に設けられた収容部において裁断刃３３を回転可能に保持するホルダ部３４と、収容部を覆って裁断刃３３をカバーする蓋部３５とによって構成される。
本体部３２と基台部３１との間にはバネ３６が介装されており、初期状態において固定板２よりも上方に位置している裁断刃３３の刃先が、本体部３２を押し下げた際には、固定板２よりも下方位置に押し下げられるようになっている（図３を参照）。
【００２０】
本体部３２の側壁面には、裁断刃３３を保持するためのホルダ部３４が取り付けられる。
ホルダ部３４の側壁部には、円盤状の裁断刃３３を収容するための凹状の収容部が形成されており、本体部３２とホルダ部３４とに設けられた軸孔に、裁断刃３３の回転軸３７を挿入することで、裁断刃３３を回転可能に支持している。
【００２１】
ホルダ部３４には、蓋部３５との係合部が設けられており、ハンドルを回して蓋部３５の被係合部に係合させることで、ホルダ部３４を介して本体部３２に取り付けられ、スライダ３０としての一体的な外形形状を形作る（図４を参照）。
このスライダ３０をレール４に取り付け、スライダ３０を強く押し下げることで、基台部３１の底面において、レール支持体４１を押圧し、下面に形成された固定板２を載置台７に密接させる。これによって、載置台７上のシートを固定することができる。
【００２２】
スライダ３０は、前方の位置において突出した形状となっている。即ち、スライダ３０の上面の、裁断方向前方の部位に、上方に向けた突出部３８が形成されるような形状となっている。この突出部３８は、スライダ上面の裁断方向後方側の後壁面３９を傾斜状にすることで形成される。この場合、後壁面３９の傾斜角θは、レール４に対して２０°〜４０°（好ましくは３０°）の角度をなすように設計されている（図５を参照）。
【００２３】
このように、基盤１と固定板２とスライダ３０とレール４とを備え、レール４が上方に向けて付勢させた状態で支持体５に架設された裁断機１０において、スライダ３０の裁断方向前方の位置を突出させることで、裁断方向後方を手前にして裁断機１０を卓上に配置し、スライダ３０を移動させて裁断する際に、その突出部３８を操作することによって、スライダ３０を前傾させる方向Ｂに押圧力を及ぼすことができる（図６を参照）。
即ち、突出部３８を押し下げると同時に、スライダ３０を移動させるための操作を行なうことで、移動方向（即ち、水平方向）に向けての押圧力がスライダ３０に作用し、そのモーメントによって、スライダ３０の前方位置が強く押し下げられる。これによって、レール４を介して、裁断方向Ａの前方における固定板２が押圧されるようになる。
【００２４】
これによって、裁断地点から前方にかけて部位の固定板２の浮きを防止することができ、シートの位置ズレを防止できる。
また、突出部３８の裁断方向後方側の後壁面３９を傾斜状にしたので、その傾斜状の後壁面３９を押すことで、スライダ３０に対する裁断方向前方に向けての押圧力を、スライダ３０を押し下げるための下方向の力と、移動させるための水平方向の力とに分散させることができる。
これによって、スライダ３０を押し下げながら移動させる際の力加減の調節（即ち、下方向の押圧力と水平方向の押圧力の微妙な調節）が不要となるので、熟練者でなくとも美しい裁断ラインを得ることができる。
【００２５】
特に、スライダ３０の裁断方向後方側の壁面３９の傾斜角θを、レール４に対して２０°〜４０°（好ましくは３０°）としたので、スライダ３０に対する押圧力を、スライダ３０を押し下げるための力と、移動させるための力に、程良く分散させることができる。
また、スライダ３０の傾斜状の後壁面を手のひらで押しながら移動させる際に、自然な姿勢で作業を行うことができる。
【００２６】
なお、本考案のスライダ３０において、突出部３８は、必ずしもスライダ３０の上面を傾斜状にすることで形成される必要はなく、図７に示す突出部３８’のように、直線状の壁面３９’としてもよい。
また、本考案の裁断機１０は、シートが載置される基盤と、シートを基盤上に押し付ける固定板と、裁断刃を装着したスライダと、スライダがスライド可能に取り付けられるレールと、レールを上方に向けて付勢させた状態で架設する支持体とを含む構成であれば、如何なるものであってもよく、例えば、図８に示す裁断機１０’のように、レール部材４０’の裏側に沿って配された水平部材４４と、その水平部材４４の両端部４４ａに回動可能に取り付けられた一対のリンクバー４３，４３とによってレール４’を構成してもよい。
【００２７】
このレール４’は、基盤１’の両端に設けられた支持体５’によって上方に付勢された状態で支持されると共に、夫々のリンクバー４３の下端部４３ａを基盤１’に回動可能に取り付けることで、レール４’が上下動する際に、その水平状態を維持させることができる。
レール４’に別部材からなる固定板を取り付け、レール４’を跨ぐように本考案の裁断機用スライダを取り付ける。スライダを押し下げることで、レール４’も押し下げられ、水平部材４４がレール部材４０’の裏側に設けられたガイド部４５に導かれながら裁断方向に移動する。それに伴って、リンクバー４３が裁断方向Ａに向けて傾斜される。この際、リンクバー４３は、支持体５’に設けられたガイド部５１によって位置規制され、裁断方向Ａにしか傾斜されないようになっている。
【００２８】
このような平行リンク機構を有する裁断機１０’は、裁断方向が特定されている場合が多く、裁断方向を示す表示が必要となるが、本考案は、上面の裁断方向前方部を突出させた形状のスライダがレール４’に取り付けられているので、その突出部が目印となり、裁断方向（即ち、リンクバー４３が傾斜する方向）が認識し易くなる。
これによって、スライダを移動させる方向を間違えるのを防止できる。
【００２９】
また、このようなリンク式の裁断機１０’においては、レール４’が水平状態を維持しながら上下動するので、スライダを移動させる際に、その上面の裁断方向前方部位に設けられた突出部を押し下げたとき、スライダの前方位置が過度に押し下げられるのを防止することができる。これによって、裁断方向前方における固定板の浮きを防止しつつ、均一にシートを押圧することが可能となり、位置ズレを一層効果的に防止できる。
【産業上の利用可能性】
【００３０】
本考案は、紙、ビニール、皮などあらゆるシート状の素材を裁断するための裁断機として、あらゆる産業分野において適用することができる。  
【符号の説明】
【００３１】
１，１’・・・基盤
２・・・固定板
３・・・スライダ
４、４’・・・レール
５，５’・・・支持体
６・・・空間
７・・・載置面
１０、１０’・・・裁断機
１１、１２・・・段差
１３・・・カッターマット
３０、３０’・・・スライダ
３１・・・基台部
３２・・・本体部
３３・・・裁断刃
３４・・・ホルダ部
３５・・・蓋部
３６・・・バネ
３７・・・軸
３８・・・突出部
３９・・・後壁面
４０，４０’・・・レール部材
４１，４１’・・・レール支持体
４２・・・レール取付部
４３・・・リンクバー
４４・・・水平部材
４５・・・ガイド部
５１・・・ガイド部
【図１】
0003189538.tif 000003
【図２】
0003189538.tif 000004
【図３】
0003189538.tif 000005
【図４】
0003189538.tif 000006
【図５】
0003189538.tif 000007
【図６】
0003189538.tif 000008
【図７】
0003189538.tif 000009
【図８】
0003189538.tif 000010
【図９】
0003189538.tif 000011
【手続補正書】
【提出日】平成26年1月14日(2014.1.14)
【手続補正１】
【補正対象書類名】実用新案登録請求の範囲
【補正対象項目名】全文
【補正方法】変更
【補正の内容】
【実用新案登録請求の範囲】
【請求項１】
シートが載置される基盤（１）と、シートを基盤上に押し付ける固定板（２）と、裁断刃を装着したスライダ（３０）と、該スライダ（３０）がスライド可能に取り付けられるレール（４）と、該レール（４）を上方に向けて付勢させた状態で架設する支持体（５）とを含んで構成され、前記レール（４）に沿って前記固定板（２）を設け、前記スライダ（３０）を押し下げながら裁断方向に移動させることで、前記固定板（２）でシートを固定しながら裁断する裁断機（１０）であって、
前記スライダ（３０）の上面の裁断方向前方の部位に、該スライダ（３０）を移動させる際に操作するための操作部を、上方に向けた突出部（３８）として構成したことを特徴とする裁断機。
【請求項２】
上記突出部（３８）の裁断方向後方側の後壁面（３９）を、前記レール（４）に対して２０°〜４０°の角度をなすように傾斜状に構成したことを特徴とする請求項１記載の裁断機。